(57)【要約】【課題】特に車底及び車輪付近に付着している雑菌を効果的に消毒する車両消毒装置を提供する。【解決手段】自動希釈された消毒液を供給する消毒液供給装置１０と、消毒液供給装置１０に接続にされ、消毒液を通すためのホース９と、支柱や横梁となる門型状のゲート本体２と、ホース９に接続にされ消毒液供給装置１０から供給される消毒液を通し、ゲート本体２の内側に取り付けられた配管３と、消毒液をジェット状又は霧状にしてゲート本体２の内側に噴射し車両の上方及び側方を消毒するため配管３の数箇所に設置された複数の噴射ノズル４ａ〜４ｃと、車両の車底を消毒するため地面に敷設された２列の配管及び複数の噴射ノズル７ａ、７ｂと、噴射ノズル７ａ、７ｂが車と接触しないようにするための２列の間口部６ａ、６ｂを有する敷設部５を備える。【選択図】図１
2007089951.tif 000002
【特許請求の範囲】
【請求項１】
消毒液を供給する消毒液供給手段と、
少なくとも消毒対象の車両の下部を囲む枠組と、
前記消毒液供給手段から供給される前記消毒液を通し、前記枠組に取り付けられた配管と、
前記配管に接続され、前記消毒液を前記枠組の内側に噴射するための複数の噴射ノズルとを備えることを特徴とする車両消毒装置。
【請求項２】
前記消毒液、前記配管及び前記噴射ノズルのうち少なくとも１つを加熱するヒーターを備えることを特徴とする請求項１記載の車両消毒装置。
【請求項３】
前記車両を検知する車両検知センサーと、
前記車両検知センサーの信号に応答して、前記消毒液供給手段による前記消毒液の供給時期を制御する制御手段とを備える
ことを特徴とする請求項１又は２記載の車両消毒装置。
【請求項４】
前記枠組を前記車両の前後方向に移動させる移動手段を備える
ことを特徴とする請求項１〜３のいずれか１項に記載の車両消毒装置。
【発明の詳細な説明】
【技術分野】
【０００１】
本発明は、各種の車両に付着した雑菌を消毒する車両消毒装置に関する。
【背景技術】
【０００２】
従来、農場に出入りする車両には農場で発生した各種の雑菌やウイルスが付着しており、車両を消毒しない場合には農場で発生した雑菌等を農場外に出したり、他の農場で発生した雑菌等を農場に持ち込んだりすることになり、それにより多くの農場等に雑菌等が蔓延してしまう。特に、養鶏場においては、鳥インフルエンザ等の伝染病を防止することが極めて重要である。
【発明の開示】
【発明が解決しようとする課題】
【０００３】
しかし、車両の消毒に際しては、人手に頼っていることが多く、車両全体にわたって均等に効率よく消毒することが困難である。また、従来の車両消毒装置では、特に車底及び車輪付近に付着している雑菌が十分に消毒できないという問題がある。また、装置が大型なので設置や移動が不便であり、かつ設置場所に制約があることが多い。また、装置を屋外に設置することが多いので消毒液が冬季に凍結する場合がある。
【０００４】
そこで、本発明は、特に車底及び車輪付近に付着している雑菌を効果的に消毒し、設置が簡便で、冬季でも凍結することがない車両消毒装置を提供することを目的とする。
【課題を解決するための手段】
【０００５】
上記の目的を達成するため、本発明に係る車両消毒装置は、消毒液を供給する消毒液供給手段と、少なくとも消毒対象の車両の下部を囲む枠組と、前記消毒液供給手段から供給される前記消毒液を通し、前記枠組に取り付けられた配管と、前記配管に接続され、前記消毒液を前記枠組の内側に噴射するための複数の噴射ノズルとを備えることを特徴とする。
【０００６】
また、前記消毒液、前記配管及び前記噴射ノズルのうち少なくとも１つを加熱するヒーターを備えることを特徴とする。
【０００７】
また、前記車両を検知する車両検知センサーと、前記車両検知センサーの信号に応答して、前記消毒液供給手段による前記消毒液の供給時期を制御する制御手段とを備えることを特徴とする。
【０００８】
また、前記枠組を前記車両の前後方向に移動させる移動手段を備えることを特徴とする。
【発明の効果】
【０００９】
本発明に係る車両消毒装置によれば、敷設部の間口部に設置された複数の噴射ノズルにより車両の車底を消毒するので、車底及び車輪付近に付着している雑菌等が効果的に消毒できるため、特に養鶏場に設置した場合に鳥インフルエンザ等の鶏病の予防に多大な効果を奏する。
【００１０】
また、消毒液、配管及び前記噴射ノズルのうち少なくとも１つを加熱するヒーターを備えるので、冬季であっても凍結することを防止できる。
【００１１】
また、車両検知センサーにより、ユーザーがスイッチを押す必要がなく自動的に消毒作業の開始や終了が行われるので、使用方法が極めて便利である。
【００１２】
また、枠組を車両の前後方向に移動させる移動手段を備えることにより、ユーザーが車両を動かすことなく枠組が自走して消毒作業を行うことができる。
【００１３】
また、装置がコンパクトであるため設置や移動が簡便であり、かつ設置場所にほとんど制約がない。
【発明を実施するための最良の形態】
【００１４】
以下では、本発明を実施するための最良の形態について図面を参照しながら説明を行う。
【実施例１】
【００１５】
図１は、本発明の実施例１に係る車両消毒装置の斜視図である。図２は、本発明の実施例１に係る車両消毒装置１における敷設部５のＸ−Ｘ断面図である。車両消毒装置１は、自動希釈された消毒液を供給する消毒液供給装置１０と、消毒液供給装置１０に接続にされ、消毒液を通すためのホース９と、支柱や横梁となる門型状のゲート本体（枠組）２と、ホース９に接続にされ消毒液供給装置１０から供給される消毒液を通し、ゲート本体２の内側に取り付けられた配管３と、消毒液をジェット状又は霧状にしてゲート本体２の内側に噴射し車両の上方及び側方を消毒するため配管３の数箇所に設置された複数の噴射ノズル４ａ〜４ｃと、車両の車底を消毒するため地面に敷設された２列の配管（不図示）及び複数の噴射ノズル７ａ、７ｂと、噴射ノズル７ａ、７ｂが車と接触しないようにするための２列の間口部６ａ、６ｂを有する敷設部５等を備える。
【００１６】
地面に設置された敷設部５は、２列の直線状の間口部６ａ、６ｂを有しており、それぞれ間口部６ａ、６ｂに沿って複数の噴射ノズル７ａ、７ｂが好適な間隔で上方に向かって設置されており、車両の車底及び車輪付近に付着している雑菌を効果的に消毒する。また、車両の前方と後方の消毒についても効果的に消毒できる。この構造により、特に養鶏場に設置した場合に鳥インフルエンザ等の鶏病の予防に多大な効果を奏する。また、敷設部５の厚さは、噴射ノズル７ａ、７ｂの高さよりも大きいので、車両のタイヤが敷設部５上に乗ったときにもタイヤと噴射ノズル７ａ、７ｂが接触することがなく、噴射ノズル７ａ、７ｂが傷まない。
【００１７】
門型状のゲート本体２は大型車が通過できるくらいに十分な幅及び高さを有しているので、本消毒液供給装置１０に適用可能な車両は大型車から小型車まで広範囲である。ユーザーが消毒液供給装置１０に備えられたスイッチを押すと消毒液の噴射が開始されるので、後は車両の運転者がゆっくりと車両を前進させていくだけで車両が消毒される。消毒液供給装置１０は、噴射開始からタイマー設定時間（例えば５分であり、消毒液供給装置１０において調節が可能となっている。）の後に自動的に噴射を停止するので、ユーザーは停止するためにスイッチを押す必要がなく便利である。
【００１８】
消毒液供給装置１０は、水道直結型であり、水タンクの容量は約１００ｌ、薬液用タンクの容量は２５ｌである。消毒液は、消毒液供給装置１０内の自動注入希釈装置により、約１００：１の割合に自動希釈されるため、大きな消毒タンクを必要としない。車底部の噴射ノズルが１列の場合は毎分２１〜２７ｌ、本実施例１のように２列の場合は毎分３０〜３３ｌの大容量の液を噴射することができる。
【００１９】
このように、本発明にかかる車両消毒装置１1は構造が簡単であり比較的軽量であるため設置が簡便であり、かつ設置場所にほとんど制約がないので、小規模の農場であっても設置が可能である。
【実施例２】
【００２０】
図３は、本発明の実施例２に係る車両消毒装置の斜視図である。車両消毒装置１1は、自動希釈された消毒液を供給する消毒液供給装置１０と、消毒液供給装置１０に接続されたホース９と、ホース９に接続にされ消毒液供給装置１０から供給される消毒液を通す配管（不図示）と、配管に接続され、消毒液をジェット状又は霧状に噴射して車両の側方を消毒するため数箇所に設置された複数の噴射ノズル1４ａ、１４ｂと、車両の車底を消毒するため地面に敷設された噴射ノズル（不図示）と、噴射ノズルが車と接触しないようにするための１列の直線状の間口部１６を有する敷設部１５と、配管や噴射ノズル４ａ〜４ｃを内側に向けて設置するための支柱となる対向型の一対のゲート型状の本体（枠組）１２ａ、１２ｂと、ゲート型状の本体１２ａ、１２ｂと平行に対向させて備えられた車両検知センサー１８ａ、１８ｂ等を備える。
【００２１】
ゲート型状の本体１２ａ、１２ｂに取り付けられた複数の噴射ノズル１４ａ、１４ｂが水平に２段にわたって配置されているので、この構造により、車両消毒装置１１は車両の側方を上記実施例１の場合よりも効果的に消毒することができる。
【００２２】
また、光学式の車両検知センサー１８ａ、１８ｂをゲート型状の本体１２ａ、１２ｂの手前に対向させて備えており、車両検知センサー１８ａ、１８ｂから消毒液供給装置１０に車両検知信号が入力されるようになっている。これにより自動的に消毒すべき車両を検知し、車両検知センサー１８ａ、１８ｂからの車両検知信号に応答して消毒液供給装置１０が消毒液の供給を開始及び停止するので、ユーザーが動作開始のためのスイッチを押す必要がなく、使用方法として極めて便利である。
【００２３】
また、噴射ノズル４ａ〜４ｃ、７ａ、７ｂ（動噴）と、配管に冬季用の加熱用ヒーターを取り付けることができるため、冬でも消毒液が凍結することがない。例えば、配管用ヒーターとしては５００Ｗ、噴射ノズル用ヒーターとしては１５０Ｗの仕様とする。また、消毒液自体を加熱して凍結を防止するヒーターを備える構成でもよい。
【００２４】
なお、消毒液供給装置１０には、毎分１８ｌの補助用消毒ガンが付属されており、車両消毒装置１、１１により消毒を終了した車両に対して追加的により隅々までユーザーが手動で消毒することができる。
【００２５】
以上、本発明に係る消毒装置の実施例について説明を行ったが、本発明に係る車両消毒装置は説明を行った実施例に限定はされない。例えば、本発明は、ゲートの形状は本実施例で述べた形状以外の円形状や、実施例１及び２の形状を組み合わせた形状等であってもよい。また、敷設部に設ける車底を消毒するための噴射ノズルを収める間口部は、３列以上であってもよいし直線状以外の他の形状であってもよい。
【００２６】
また、ゲート（枠組）を車両の前後方向に移動させる移動部を備えることにより、ユーザーが車両を動かすことなくゲートが自走して車両の消毒作業を行うことができるように構成してもよい。
【産業上の利用可能性】
【００２７】
本発明は、養鶏場や各種農場等に設置される車両消毒装置に適用できる。
【図面の簡単な説明】
【００２８】
【図１】本発明の実施例１に係る車両消毒装置の斜視図である。
【図２】本発明の実施例１に係る車両消毒装置の断面図である。
【図３】本発明の実施例２に係る車両消毒装置の斜視図である。
【符号の説明】
【００２９】
１、１１  車両消毒装置
２、１２ａ、１２ｂ  ゲート本体
３  配管
４ａ〜４ｃ、７ａ、７ｂ、１４ａ、１４ｂ  噴射ノズル
５、１５  敷設部
６ａ、６ｂ、１６  間口部
９  ホース
１０  消毒液供給装置
１８ａ、１８ｂ  車両検知センサー
【図１】
2007089951.tif 000003
【図２】
2007089951.tif 000004
【図３】
2007089951.tif 000005